(57)【要約】【課題】使用時に不必要に場所を取らず、使用後は全体をゴミと共に廃棄するため、煩わしい洗浄の手間が不要な使い捨てコーナーを提供することを課題とする。【解決手段】底辺に凹凸部８を設け、及び／又は、側面に適宜水切り孔４を穿設した耐水資材製の帯状容体構成枠２と、中間部の一部が前記容体構成枠２の内側面の一部に固定された水切り袋３とから成る。前記容体構成枠２は、その一部が分離されていて、その両端が互いに係止可能にされることがある。その場合の両端係止手段としては、差込溝５とこれに差込んで係止される差込ツメ６とから成るもの等が考えられる。【選択図】        図４
2004175477.tif 000002
【特許請求の範囲】
【請求項１】
底辺に凹凸部を設け、及び／又は、側面に適宜水切り孔を穿設した耐水資材製の帯状容体構成枠と、中間部の一部が前記容体構成枠の内側面の一部に固定された水切り袋とから成ることを特徴とする使い捨てコーナー。
【請求項２】
前記容体構成枠は、一部が分離されていて、その両端が互いに係止可能である請求項１に記載の使い捨てコーナー。
【請求項３】
前記容体構成枠の両端係止手段が、差込溝とこれに差込んで係止される差込ツメである請求項２に記載の使い捨てコーナー。
【請求項４】
底辺に凹凸部を設け、及び／又は、適宜水切り孔を穿設した耐水資材製の帯状容体構成枠であって、水切り袋の上部を折り返し被装可能にしたことを特徴とする使い捨てコーナー構成枠。
【請求項５】
前記容体構成枠は、一部が分離されていて、その両端が互いに係止可能である請求項４に記載の使い捨てコーナー構成枠。
【請求項６】
前記容体構成枠の両端係止手段が、差込溝とこれに差込んで係止される差込ツメである請求項５に記載の使い捨てコーナー構成枠。
【発明の詳細な説明】
【０００１】
【発明の属する技術分野】
本発明は使い捨てコーナー及び使い捨てコーナー構成枠、より詳細には、台所の流しの隅に配置して、一時的に生ゴミを入れておくための水切り容器で、使い捨てのコーナー、並びに、使い捨てコーナーを構成するための構成枠に関するものである。
【０００２】
【従来の技術】
台所の流しの隅に、生ゴミを捨てるための、一般に三角コーナーと称される水切り容器が配置される。一般的な三角コーナーは、底面（及び側面）に多数の水切り孔を穿設した金属製又はプラスチック製の平面三角形状の容体である。従来は、三角コーナー内に直接ゴミを捨てていたが、最近は、内側に水切り袋を装入して用いることが多い。
【０００３】
水切り袋を用いる場合は、コーナーからのゴミの取り出し及びその後の始末等、ゴミの取扱いに便利であるが、この場合においても、コーナーの内外面に所謂ぬめりが付着残存するため、適時洗浄しなければならない煩わしさがある。また、三角コーナーは、空の状態であっても、流しにおいて占める面積は変わらず、相応の場所を取る。
【０００４】
【発明が解決しようとする課題】
本発明は上記事情に鑑みてなされたものであって、使用時に不必要に場所を取らず、使用後は全体をゴミと共に廃棄するため、煩わしい洗浄の手間が不要な使い捨てコーナーを提供することを課題とする。
【０００５】
【課題を解決するための手段】
上記課題を解決するための本発明に係る使い捨てコーナーは、底辺に凹凸部を設け、及び／又は、側面に適宜水切り孔を穿設した耐水資材製の帯状容体構成枠と、中間部の一部が前記容体構成枠の内側面の一部に固定された水切り袋とから成る。
【０００６】
上記課題を解決するための本発明に係る使い捨てコーナー構成枠は、底辺に凹凸部を設け、及び／又は、適宜水切り孔を穿設した耐水資材製の帯状容体構成枠であって、水切り袋の上部を折り返し被装可能にしたことを特徴とする。
【０００７】
前記容体構成枠は、その一部が分離されていて、その両端が互いに係止可能にされることがある。その場合の両端係止手段としては、差込溝とこれに差込んで係止される差込ツメとから成るもの等が考えられる。
【０００８】
【発明の実施の形態】
本発明の実施の形態を添付図面に依拠して説明する。図は本発明に係る使い捨てコーナー１の一実施形態を示すもので、図２は使用前の折畳状態を示す図、図１、図３及び図４は、使用に際して拡開して組立てる過程を示す図、図５は完成状態を示す図である。
【０００９】
使い捨てコーナー１は、底辺に適宜水切り用の凹凸部８を設けた帯状の耐水資材、好ましくは厚紙等の可燃性資材製の容体構成枠２と、中間部の一部が容体構成枠２の内側面の一部に固定された、不織布、ネット等の水切り袋３とから成る。
【００１０】
容体構成枠２は、無端で予め輪状に形状される場合（図１）と、両端が分離されていて、組立時に両端が係止される場合（図２乃至図８）とがある。
【００１１】
両端を係止可能にするための手段は任意で、例えば、一端部に差込溝５を並設し、他端部に差込溝５に係止される差込ツメ６を設ける。この場合、差込ツメ６を差込溝５に差込んで係止させることにより、両端部が連結されて輪状を呈するようにされる。その場合において、容体構成枠２に折り目７を入れておくことにより、容体構成枠２を四角形、三角形等に構成することができる。図１に示す無端の容体構成枠２の場合にも、同様に折り目７が入れられる。
【００１２】
差込溝５と差込ツメ６は、それぞれ複数列設け（図示した例では２列設けてある。）、選択的に差込み可能にすることが好ましい。そうすることにより、容体の容積が可変となる。また、容体構成枠２には、上記凹凸部８に代え、あるいは、凹凸部８に加えてその側面に水切り孔４を設け、使用時にそこから水が抜けるようにすることができる。
【００１３】
端部を係止可能にするための手段としては、上述したものの外に、例えば、一端部は上方から中程まで切れ目を入れ、他端部は下方から中程まで切れ目を入れ、双方の切れ目を噛み合わせる方法、両端部に面ファスナーを定着する方法、一端部又は両端部に接着剤を塗布する方法（接着前まで剥離紙を被装しておく）等が考えられる。
【００１４】
使い捨てコーナー１は、使用前は平坦に畳まれた状態にされており（図２参照、図１に示す無端の場合も同様）、使用に際し、両端部を折り目７から起こして水切り袋３を展開する（図３参照）。そして、両端部を寄せて、例えば、差込溝５と差込ツメ６による係止手段によって係止させる（図４参照）。
【００１５】
その後水切り袋３の上部を、容体構成枠２をくるむように外側に折り返し、容体としての形を、その折り目７を押す等して整える（図５参照）。その場合、容体構成枠２は、図５に示すように完全に拡げる必要はなく、配置スペース節約のため、当初は狭めた状態にし、ゴミの投入量に応じて拡げていくようにしてもよい。
【００１６】
使い捨てコーナー１は、一般の三角コーナーと同様にしてゴミを投入していき、一杯になったところで、容体構成枠２をくるんでいた水切り袋３の上部を上方に引き上げ、そのまま、あるいは、輪ゴムで口を閉じる等した後、容体構成枠２ごと生ゴミとして捨てる。
【００１７】
図６乃至図８は、本発明に係る使い捨てコーナー構成枠１１を示すもので、上記実施形態（無端及び有端の場合を含む）において、水切り袋３を除いた容体構成枠２がこれに相当する。使い捨てコーナー構成枠１１は上記実施形態の場合と同じ構成で、使用前は平坦に畳まれた状態にされており（図６参照）、使用に際し、両端部を折り目７から起こし（図７参照）、両端部を寄せて、例えば、差込溝５と差込ツメ６による係止手段によって係止させて容体枠を形成する（図８参照）。
【００１８】
その後、適宜水切り袋３を容体枠内に通し（図１、図４の状態）、その上部を使い捨てコーナー構成枠１１をくるむように折り返し、容体としての形を、その折り目７を押す等して整える（図５参照）。
【００１９】
このようにして形成した使い捨てコーナーは、上記実施形態の場合と同様にして使用する。
【００２０】
【発明の効果】
本発明は上述した通りであるので、本発明に係る使い捨てコーナー並びに本発明に係る使い捨てコーナー構成枠を用いて形成した使い捨てコーナーは、廉価であって焼却可能なため使い捨て適性があり、使用前は、場所を取ることなく多数重ねて保管しておくことができ、使用に際して簡単に水切りコーナーを形作ることができ、生ゴミが満杯になった場合には、そのまま全体を捨てることができるので、コーナーから水切り袋を取り出して捨てる煩わしさや、面倒なコーナーの洗浄作業が不要となる効果がある。
【００２１】
また、本発明に係る使い捨てコーナー構成枠によれば、上述した効果を有する使い捨てコーナーを簡単に構成し得る効果がある。
【図面の簡単な説明】
【図１】本発明に係る使い捨てコーナーの一実施形態の組立て過程を示す図である。
【図２】本発明に係る使い捨てコーナーの他の実施形態の使用前の状態を示す斜視図である。
【図３】本発明に係る使い捨てコーナーの他の実施形態の組立て方法を示す図である。
【図４】本発明に係る使い捨てコーナーの他の実施形態の組立て方法を示す図である。
【図５】本発明に係る使い捨てコーナーの他の実施形態の組立て完了状態を示す図である。
【図６】本発明に係る使い捨てコーナー構成枠の一実施形態の使用前の状態を示す斜視図である。
【図７】本発明に係る使い捨てコーナー構成枠の一実施形態の組立て方法を示す図である。
【図８】本発明に係る使い捨てコーナー構成枠の一実施形態の組立て完了状態を示す図である。
【符号の説明】
１    使い捨てコーナー
２    容体構成枠
３    水切り袋
４    水切り孔
５    差込溝
６    差込ツメ
７    折り目
８    凹凸部
１１  使い捨てコーナー構成枠
【図１】
2004175477.tif 000003
【図２】
2004175477.tif 000004
【図３】
2004175477.tif 000005
【図４】
2004175477.tif 000006
【図５】
2004175477.tif 000007
【図６】
2004175477.tif 000008
【図７】
2004175477.tif 000009
【図８】
2004175477.tif 000010